(57)【要約】【課題】損傷させると光ディスクの再生に影響のある重要な中心孔を用いることなく光ディスクを確実に収納することができるとともに、光ディスク収納体の組立工程におけるロボットによる光ディスクの自動装填に対応することができる光ディスク収納体の提供を目的とする。【解決手段】光ディスク収納体１内における光ディスクを着脱自在に保持すべく基板２に設ける光ディスク保持部４は、光ディスクの水平方向への抜け出しを防止すべく光ディスクの外周を囲繞する側壁部材５を基板に突設し、さらにこの側壁部材には光ディスクの上面方向への抜け出しを防止する掛止部材８を曲折形成し、かつ光ディスク保持部の上から光ディスクを収納可能とすべく掛止部材を外周方向へ反り返り自在とした。【選択図】図１
2005158154.tif 000002
【特許請求の範囲】
【請求項１】
光ディスク収納体の基板上には光ディスクの水平方向への抜け出しを防止するために光ディスクの外周を囲繞する側壁部材を突設し、さらにこの側壁部材には光ディスクの上面方向への抜け出しを防止するための掛止部材を曲折形成するとともに、この掛止部材は光ディスク外周が当接した際に外周方向へ反り返り自在とし基板上面方向から光ディスクを収納可能としたことを特徴とする光ディスク収納体。
【請求項２】
側壁部材には切欠部を設けることにより、光ディスクの外周を把持し収納した光ディスクを前記切欠部方向の斜め上面方向に移動させることで取り出し可能とすることを特徴とする請求項１記載の光ディスク収納体。
【請求項３】
光ディスク収納体の基板上には光ディスクの水平方向への抜け出しを防止するために光ディスクの外周を囲繞する側壁部材を切欠部を設けて突設し、さらにこの切欠部と対向する側の側壁部材の半円部分に光ディスクの上面方向への抜け出しを防止するための掛止部材を基板から垂直方向に複数個所立設し、この掛止部材は光ディスク外周が当接した際に外周方向へ反り返り自在として基板上面方向から光ディスクを収納可能とするとともに、収納した光ディスクの外周を把持し前記切欠部方向の斜め上面方向に移動させることで取り出し可能とすることを特徴とする光ディスク収納体。
【請求項４】
掛止部材の外側には、光ディスクの外周方向に反り返った際に押し返される方向に押動付勢する可撓性を有してなる保護部材を並設したことを特徴とする請求項３記載の光ディスク収納体。
【請求項５】
光ディスク収納体の基板上には光ディスクの水平方向への抜け出しを防止するために光ディスクの外周を囲繞する側壁部材を切欠部を設けて突設し、さらにこの切欠部と対向する側の側壁部材の半円部分に光ディスクの上面方向への抜け出しを防止するための掛止部材を側壁部材の一部を基端として先端が基板に対し水平方向に反り返り自在に複数個所形成し、基板上面方向から光ディスク外周が掛止部材に当接した際に掛止部材が外周方向へ反り返って光ディスクを収納可能とするとともに、収納した光ディスクの外周を把持し前記切欠部方向の斜め上面方向に移動させることで取り出し可能とすることを特徴とする光ディスク収納体。
【発明の詳細な説明】
【技術分野】
【０００１】
本発明は、ＤＶＤ等の光ディスクを収納するための光ディスク収納体に係り、特に光ディスクを汚損、損傷させることなく収納・取り出しを迅速かつスムースに行うことができるとともに、組立工程における光ディスクの自動装填にも対応できるように工夫をこらしたものである。
【背景技術】
【０００２】
従来のＤＶＤ等の光ディスクを収納するための光ディスク収納体は、開閉自在な薄い箱体の一方の内側を基板とし、ここに光ディスクを着脱自在に保持するための光ディスク保持部を設けている。この光ディスク保持部は、光ディスクの中心孔を掛止するための掛止凸部と、保持された光ディスクが水平方向に移動しないようにするための円環状の側壁部材を突設して構成されている。
【特許文献１】特開２００１−１３０６７５号公報
【発明の開示】
【発明が解決しようとする課題】
【０００３】
しかしながら、上述した従来の光ディスク収納体は、光ディスクにとって重要な役割のある中心孔を掛止するものであり、繰り返し着脱するうちにこの中心孔が損傷する恐れがあった。特に、ＤＶＤにあっては、ディスクの寸法精度が厳しく設定されていることもあり、光ディスクを回転駆動させる際の基準となる中心孔が損傷した場合には、記録された内容を再生できなくなる恐れがあった。
【０００４】
そこで本発明にあっては、上述した課題を解決すべく、損傷させると光ディスクの再生に影響のある重要な中心孔を用いることなく光ディスクを確実に収納することができるとともに、光ディスク収納体の組立工程におけるロボットによる光ディスクの自動装填に対応することができる光ディスク収納体の提供を目的とする。
【課題を解決するための手段】
【０００５】
上記目的を達成するため、本発明の光ディスク収納体は、光ディスク収納体の基板上には光ディスクの水平方向への抜け出しを防止するために光ディスクの外周を囲繞する側壁部材を突設し、さらにこの側壁部材には光ディスクの上面方向への抜け出しを防止するための掛止部材を曲折形成するとともに、この掛止部材は光ディスク外周が当接した際に外周方向へ反り返り自在とし基板上面方向から光ディスクを収納可能としたことを特徴とする。
【０００６】
また、側壁部材には切欠部を設けることにより、光ディスクの外周を把持し収納した光ディスクを前記切欠部方向の斜め上面方向に移動させることで取り出し可能とすることを特徴とする。
【０００７】
また、光ディスク収納体の基板上には光ディスクの水平方向への抜け出しを防止するために光ディスクの外周を囲繞する側壁部材を切欠部を設けて突設し、さらにこの切欠部と対向する側の側壁部材の半円部分に光ディスクの上面方向への抜け出しを防止するための掛止部材を基板から垂直方向に複数個所立設し、この掛止部材は光ディスク外周が当接した際に外周方向へ反り返り自在として基板上面方向から光ディスクを収納可能とするとともに、収納した光ディスクの外周を把持し前記切欠部方向の斜め上面方向に移動させることで取り出し可能とすることを特徴とする。
【０００８】
また、掛止部材の外側には、光ディスクの外周方向に反り返った際に押し返される方向に押動付勢する可撓性を有してなる保護部材を並設したことを特徴とする。
【０００９】
また、光ディスク収納体の基板上には光ディスクの水平方向への抜け出しを防止するために光ディスクの外周を囲繞する側壁部材を切欠部を設けて突設し、さらにこの切欠部と対向する側の側壁部材の半円部分に光ディスクの上面方向への抜け出しを防止するための掛止部材を側壁部材の一部を基端として先端が基板に対し水平方向に反り返り自在に複数個所形成し、基板上面方向から光ディスク外周が掛止部材に当接した際に掛止部材が外周方向へ反り返って光ディスクを収納可能とするとともに、収納した光ディスクの外周を把持し前記切欠部方向の斜め上面方向に移動させることで取り出し可能とすることを特徴とする。
【発明の効果】
【００１０】
本発明の光ディスク収納体によれば、光ディスク収納体の基板上には光ディスクの水平方向への抜け出しを防止するために光ディスクの外周を囲繞する側壁部材を突設し、さらにこの側壁部材には光ディスクの上面方向への抜け出しを防止するための掛止部材を曲折形成するとともに、この掛止部材は光ディスク外周が当接した際に外周方向へ反り返り自在とし基板上面方向から光ディスクを収納可能としたことで、損傷させると光ディスクの再生に影響のある重要な中心孔を用いることなく光ディスクを確実に収納することができるとともに、光ディスク収納体の組立工程におけるロボットによる光ディスクの自動装填に対応することができ、生産効率の向上に大いに寄与することができる。
【００１１】
また、側壁部材には切欠部を設け光ディスクの外周を把持し収納した光ディスクを前記切欠部方向の斜め上面方向に移動させることで取り出し可能とすることで、収納した光ディスクを切欠部方向の斜め上面方向に移動させることで容易に取り出すことができる。
【００１２】
また、掛止部材の外側には、光ディスクの外周方向に反り返った際に押し返される方向に押動付勢する可撓性を有してなる保護部材を並設することで、掛止部材の可撓性をカバーして、掛止部材の弾性が減少して光ディスクの外周方向に傾斜することを防止することができる。
【００１３】
また、光ディスク収納体の基板上には光ディスクの水平方向への抜け出しを防止するために光ディスクの外周を囲繞する側壁部材を切欠部を設けて突設し、さらにこの切欠部と対向する側の側壁部材の半円部分に光ディスクの上面方向への抜け出しを防止するための掛止部材を側壁部材の一部を基端として先端が基板に対し水平方向に反り返り自在に複数個所形成することで、基板上面方向から光ディスクを収納するという光ディスク収納体の組立工程におけるロボットによる光ディスクの自動装填に対応することができ、また収納した光ディスクを切欠部方向の斜め上面方向に移動させることで容易に取り出すこともでき、さらに撓曲する掛止部材の基端から先端までの長さを、掛止部材を基板に対して垂直に立設する場合と比較して長くすることができるので、光ディスクを上面方向から収納する際に掛止部材をスムースに撓曲させることができるとともに、繰り返しの曲げ疲労に強く長期に亘り好適に使用することができる。
【発明を実施するための最良の形態】
【００１４】
図１〜図３は、本発明の光ディスク収納体の第１の実施例を示しており、図１に示す光ディスク収納体１は光ディスクを収納する基板２と、これを被蓋する開閉自在な蓋体３とを合成樹脂材にて一体成形して構成されている。
【００１５】
基板２における被蓋される内面には、光ディスクを収納する円環状の光ディスク保持部４が一体的に設けられている。この光ディスク保持部４は、図１、図２に示すごとく、光ディスクの水平方向の移動を規制する光ディスクの直径よりも若干大きな内径からなる側壁５と、この側壁５の内側に一段低く一体的に連設され光ディスクの外周縁（最外周の非記録部分）を載置支持する段部６を円周の約３／４形成し、残りの約１／４部分は光ディスクの外周縁を露呈させて手指にて把持しやすいように切欠部７としている。
【００１６】
また、光ディスク保持部４における切欠部７と相対向する側の半円部分には、光ディスクの外周縁を上から掛止して上面方向に離脱することを防ぐために、収納した光ディスク外周縁の上面上に位置する鉤部８ａを先端に曲折形成した板厚が１．５〜２ｍｍの掛止部材８を、基板２から５〜８ｍｍ程度の高さに立設させて４個所に形成している。勿論３個所であってもよい。この掛止部材の板厚は、薄い方が可撓性に優れて光ディスクをスムースに収納することができ、また厚い方が繰り返しの撓曲に耐える強度がある。掛止部材８を、切欠部７と相対向する側の光ディスク保持部４の半円部分に配設したのは、収納した光ディスクを取り出しやすくするためである。すなわち、収納された光ディスクの中心孔と切欠部７に露呈した外周縁とを手指にて把持し、光ディスクの切欠部７側を持ち上げながら光ディスクを切欠部７方向に移動することで、光ディスクの外周縁は鉤部８ａから離れて容易に取り出すことができるものである。
【００１７】
掛止部材８の鉤部８ａの上部には、図３に示すごとく、上から下降してくる光ディスクＤの外周縁が当接すると、鉤部８ａを光ディスクの外周方向へと撓曲させつつ光ディスクを下方に案内するテーパー部８ｂが形成されている。このような構成としたことにより、ケースに光ディスクを自動装着する組立工程において、光ディスク収納体１の光ディスク保持部４に対して、ロボットが光ディスクＤを下降させていくと掛止部材８が反り返って外周方向に逃げ、更に下降させると鉤部８ａが当接する光ディスクＤを乗り越え、反り返った掛止部材８が元に戻ることにより、簡単かつ確実に収納保持することができる。そして、一旦光ディスク保持部４に収納された光ディスクは、水平方向への移動については光ディスクの外周を約３／４に亘って囲繞する外壁部５により規制され、上下方向の移動については段部６と掛止部材８の鉤部８ａとの間で狭持して規制される。
【００１８】
図４及び図５は、本発明の光ディスク収納体の第２の実施例を示しており、この光ディスク収納体１１にあっては、前述した第１の実施例における掛止部材８の外方に保護部材１２を並設したことを特徴とするものであり、それ以外の構成については第１の実施例と同様である。すなわち、図５に示すごとく、光ディスクＤが下降してその外周縁が掛止部材８のテーパー部８ｂに当接し、掛止部材８が光ディスクの外周方向に反り返ると、その後方に位置する保護部材１２に当接して、この保護部材１２も掛止部材８と一緒に外周方向に反り返る。このとき保護部材１２は、そのバネ性により反り返った掛止部材８を元の位置に戻す方向に押動付勢する。このような構成とすることにより、掛止部材８の板厚を薄くし優れた可撓性として光ディスクをスムースに収納することができるとともに、耐久性に係る強度については保護部材１２が掛止部材８をバックアップして、掛止部材８の弾性が減少して外側に傾斜したままとなることを防止することができる。
【００１９】
図６〜図８は、本発明の光ディスク収納体の第３の実施例を示しており、この光ディスク収納体２１にあっては、前述した各実施例における掛止部材が、その光ディスクを掛止する機能は変えることなく、反り返り方に工夫を凝らすことで更に安定した品質を維持することとしたものである。すなわち、鉤部２２ａとその上部のテーパー部２２ｂを備えた掛止部材２２の先端部分が反り返る際の支点となる基端部分を、その垂直下の基板上ではなく、水平方向の側壁５上に設けたものである。図７及び図８に示すごとく、掛止部材２２の先端部分から基端部分にかけての側壁５の下側を基板に沿って切断することで、掛止部材２２の先端部分を外周に反り返り自在とするものである。このような構成とすることで、撓曲する掛止部材２２の基端から先端までの長さを、掛止部材２２を基板２に対して垂直に立設する場合と比較して長くすることができるので、光ディスクを光ディスク保持部の真上から収納する際に掛止部材２２を無理なくスムースに撓曲させることができるとともに、繰り返しの曲げ疲労に強くなり長期に亘り好適に使用することができる。
【図面の簡単な説明】
【００２０】
【図１】本発明の光ディスク収納体の第１の実施例を示す斜視図である。
【図２】本発明の光ディスク収納体の第１の実施例における掛止部材の拡大斜視図である。
【図３】本発明の光ディスク収納体の第１の実施例における掛止部材の動作を示す断面図である。
【図４】本発明の光ディスク収納体の第２の実施例を示す斜視図である。
【図５】本発明の光ディスク収納体の第２の実施例における掛止部材の動作を示す断面図である。
【図６】本発明の光ディスク収納体の第３の実施例を示す斜視図である。
【図７】本発明の光ディスク収納体の第３の実施例における掛止部材の動作を示す平面図である。
【図８】本発明の光ディスク収納体の第３の実施例における掛止部材の動作を示す断面図である。
【符号の説明】
【００２１】
１  光ディスク収納体
２  基板
３  蓋体
４  光ディスク保持部
５  側壁
６  段部
７  切欠部
８  掛止部材
８ａ  鉤部
８ｂ  テーパー部
１１  光ディスク収納体
１２  保護部材
２１  光ディスク収納体
２２  掛止部材
２２ａ  鉤部
２２ｂ  テーパー部
【図１】
2005158154.tif 000003
【図２】
2005158154.tif 000004
【図３】
2005158154.tif 000005
【図４】
2005158154.tif 000006
【図５】
2005158154.tif 000007
【図６】
2005158154.tif 000008
【図７】
2005158154.tif 000009
【図８】
2005158154.tif 000010